(57)【要約】【課題】  新聞を戸別に配達する新聞配達システムを利用した情報伝達方法について、既存の新聞販売店を新聞の電子版化に容易に対応させて情報伝達組織として機能を維持させる。【解決手段】  新聞社Ｎは、新聞記事１１のみが掲載された新聞１を電子版化してサーバ３に格納しコンピュータネットワーク４を通じて購読者Ｍに購読させる伝達手段を実施する。新聞販売店Ｓは、広告，公告，告知，求人等の新聞記事以外の情報２１が掲載されたフリーペーパ２を戸別に配達する伝達手段を実施する。新聞社Ｎは、新聞１の電子版化に際して購読の画面に各新聞記事１１に関連する情報２１が掲載されているか掲載される予定のフリーペーパ２を特定するための表示１４を設けておく。【選択図】図１
2013232070.tif 000002
【特許請求の範囲】
【請求項１】
新聞社は新聞記事のみが掲載された新聞を電子版化してサーバに格納しコンピュータネットワークを通じて購読者に購読させる伝達手段を実施し、新聞販売店は広告，公告，告知，求人等の新聞記事以外の情報が掲載されたフリーペーパを戸別に配達する伝達手段を実施し、新聞社は新聞の電子版化に際して購読の画面に各新聞記事に関連する情報が掲載されているか掲載される予定のフリーペーパを特定するための表示を設けておくことを特徴とする情報伝達方法。
【請求項２】
請求項１の情報伝達方法において、購読の画面のフリーペーパを特定するための表示はクリックされて関連する情報が掲載されたフリーペーパの発行日と掲載ページとを案内させるアイコンからなることを特徴とする情報伝達方法。
【請求項３】
請求項１または２の情報伝達方法において、フリーペーパに掲載された情報には関連する新聞記事が掲載されている掲載される予定の新聞の発行日が記載されていることを特徴とする情報伝達方法。
【発明の詳細な説明】
【技術分野】
【０００１】
本発明は、新聞を戸別に配達する新聞配達システムを利用した情報伝達方法に係る技術分野に属する。
【背景技術】
【０００２】
最近、新聞が電子版化され、購読者が端末コンピュータからインターネット等のコンピュータネットワークを通じて新聞社のサーバにアクセスして新聞を購読（閲覧）することができるようになってきている。この結果、新聞を戸別に配達する新聞販売店の存在意義が薄れてしまい、新聞社，新聞販売店を中心とする新聞配達システムが崩壊しようとしている。
【０００３】
然しながら、新聞販売店は、新聞にチラシ，各種情報紙等を折込んで配達することで、地域の情報伝達組織としての存在意義もある。従って、新聞等を配達するための物的設備，人的設備を備えて長期にビジネスノウハウを蓄積してきた新聞販売店が情報伝達組織として機能しなくなることは大きな社会的損失である。そこで、新聞販売店に新聞の電子版化に対応した情報伝達組織としての機能を維持させることのできる技術の開発が要望されている。
【０００４】
従来、新聞販売店を新聞の電子版化に対応させて情報伝達組織としての機能を維持させることを指向した技術としては、例えば、特許文献１に記載のものがある。
【０００５】
特許文献１には、新聞販売店が新聞社に対して電子版化されたチラシの情報発信元なる情報伝達方法が記載されている。
【０００６】
特許文献１に係る情報伝達方法は、新聞販売店に電子版化されたチラシの情報発信元としての新たな業務（機能）をもたせることで、新聞販売店に新聞の電子版化に対応した情報伝達組織としての機能を維持させようとするものである。
【０００７】
なお、新聞販売店に新たな業務をもたせることを指向した技術としては、特許文献２に記載のものがある。
【０００８】
特許文献２には、新聞販売店が新聞記事以外の情報が掲載されたフリーペーパを配達する情報伝達方法が記載されている。
【０００９】
特許文献２に係る情報伝達方法は、フリーペーパの配達という新たな業務をもたせることで、新聞の定期購読者が減少している状況下において新聞販売店に情報伝達組織としての機能を維持させようとするものである。
【先行技術文献】
【特許文献】
【００１０】
【特許文献１】特開２００３−６７５８７号公報
【特許文献２】特開２０１０−１９１５６０号公報
【発明の概要】
【発明が解決しようとする課題】
【００１１】
特許文献１に係る情報伝達方法では、新聞販売店に電子版化されたチラシの情報発信元としての業務を実施することになるが、アナログ的な配達の業務とは異質の業務を実施しなければならないため、既存の新聞販売店が対応することが困難であるという問題点がある。なお、特許文献２に係る情報伝達方法では、新聞の電子版化に直接的に対応することはできないという問題点がある。
【００１２】
本発明は、このような問題点を考慮してなされたもので、既存の新聞販売店を新聞の電子版化に容易に対応させて情報伝達組織として機能を維持させることのできる情報伝達方法を提供することを課題とする。
【課題を解決するための手段】
【００１３】
前述の課題を解決するため、本発明に係る情報伝達方法は、特許請求の範囲の各請求項に記載の手段を採用する。
【００１４】
即ち、請求項１では、新聞社は新聞記事のみが掲載された新聞を電子版化してサーバに格納しコンピュータネットワークを通じて購読者に購読させる伝達手段を実施し、新聞販売店は広告，公告，告知，求人等の新聞記事以外の情報が掲載されたフリーペーパを戸別に配達する伝達手段を実施し、新聞社は新聞の電子版化に際して購読の画面に各新聞記事に関連する情報が掲載されているか掲載される予定のフリーペーパを特定するための表示を設けておくことを特徴とする。
【００１５】
この手段では、新聞販売店に電子版化された新聞に掲載された新聞記事に関連付けされた情報が記載されたフリーペーパを配達させることで、アナログ的な配達の業務を継続させることができる。
【００１６】
また、請求項２では、請求項１の情報伝達方法において、購読の画面のフリーペーパを特定するための表示はクリックされて関連する情報が掲載されたフリーペーパの発行日と掲載ページとを案内させるアイコンからなることを特徴とする。
【００１７】
この手段では、電子版化された新聞の新聞記事にアイコンからなる表示を表示を設けてフリーペーパの発行日，掲載ページというフリーペーパを特定するための最小限度の内容を案内させることで、電子版化された新聞の大容量化，複雑化を避けることができる。
【００１８】
また、請求項３では、請求項１または２の情報伝達方法において、フリーペーパに掲載された情報には関連する新聞記事が掲載されている掲載される予定の新聞の発行日が記載されていることを特徴とする。
【００１９】
この手段では、フリーペーパに掲載された情報に関連する新聞記事が掲載されている掲載される予定の新聞の発行日が記載されることで、フリーペーパ側にも電子版化された新聞の新聞記事との関連付けがなされる。
【発明の効果】
【００２０】
本発明に係る情報伝達方法は、新聞販売店に電子版化された新聞に掲載された新聞記事に関連付けされた情報が記載されたフリーペーパを配達させることで、アナログ的な配達の業務を継続させることができるため、既存の新聞販売店を新聞の電子版化に容易に対応させて情報伝達組織として機能を維持させることができる効果がある。
【００２１】
また、請求項２として、電子版化された新聞の新聞記事にアイコンからなる表示を表示を設けてフリーペーパの発行日，掲載ページというフリーペーパを特定するための最小限度の内容を案内させることで、電子版化された新聞の大容量化，複雑化を避けることができるため、新聞の電子版化の作業が面倒になるのを避けることができる効果がある。
【００２２】
また、請求項３として、フリーペーパに掲載された情報に関連する新聞記事が掲載されている掲載される予定の新聞の発行日が記載されることで、フリーペーパ側にも電子版化された新聞の新聞記事との関連付けがなされるため、フリーペーパを読んだ人に電子版化された新聞に興味を抱かせ購読者を増加させることができる効果がある。
【図面の簡単な説明】
【００２３】
【図１】本発明に係る情報伝達方法を実施するための最良の形態の伝達手段の流れを示す図である。
【図２】図１の要部の拡大図である。
【図３】図１の他の要部の拡大図である。
【図４】図１における新聞社の作業のフローチャートである。
【図５】図１における新聞社と購読契約をしている購読者の購読行為のフローチャートである。
【図６】図１における新聞社と購読契約をしていない購読者の購読行為のフローチャートである。
【発明を実施するための形態】
【００２４】
以下、本発明に係る情報伝達方法を実施するための最良の形態を図面に基づいて説明する。
【００２５】
この形態は、図１に示すように、新聞社Ｎ，新聞販売店Ｓ，購読者Ｍの３者の間に構成される。なお、新聞社Ｎについては、広告代理店，印刷所等を含む広義のものであって、後述する各業務，作業が社会的に別個の法人格等を有する者に属していても差支えない。
【００２６】
新聞社Ｎは、図４に示すように、電子版化された新聞１とアナログのフリーペーパ２とを編集製作する。
【００２７】
新聞１は、図２に詳細に示されるように、新聞記事１１のみが掲載され広告，公告，告知，求人等の新聞記事１１以外の情報が掲載されていない。この結果、新聞１の紙面に余裕が生まれ、新聞記事１１をカラー写真，カラーイラスト，表，グラフ等を組合わせた斬新な編集で構成することが可能になる。即ち、新聞１の編集体裁が斬新化されることで、定期的な購読者Ｍが増加することが期待される。なお、新聞１には、当然に発行日１２と面１３とが記載されている。
【００２８】
フリーペーパ２は、図３に詳細に示されるように、新聞１の新聞記事１１以外の前述の情報２１が掲載され新聞記事１１が掲載されていない。この結果、新聞１のような制約された紙面から解放されて、情報２１をカラー写真，カラーイラスト，表，グラフ等を組合わせた斬新な編集で構成することが可能になる。なお、フリーペーパ２には、新聞１には本来掲載されることのなかった追加的情報２２や発行日２３，ページ２４が記載されている。さらに、各情報２１には、新聞１に関連する新聞記事１１が掲載されているか掲載される予定である場合に、その新聞１の発行日１２と面１３との表示２５が記載されている。
【００２９】
新聞１，フリーペーパ２の編集製作は、通常、コンピュータでＤＴＰ（Desk Top Publishing）ソフトウエアを使用して行われている。従って、新聞記事３と前述の情報４とを集稿して簡単に振分けることができるため、編集コストが高くなることはない。なお、新聞１，フリーペーパ２は、都道府県等の地域ごとに編集制作される。
【００３０】
編集制作された新聞１は、電子版化されて新聞社Ｎのサーバ３に格納される。この際、購読の画面の新聞１の各新聞記事１１には、フリーペーパ２に関連する情報２１が掲載されているか掲載される予定である場合に、そのフリーペーパ２を特定するためのアイコンからなる表示１５が設けられる。表示１５は、図２に示すように、クリックされることによって、別個のウインドウや吹きだしの形式でフリーペーパ２の発行日２３，ページ２４を開くようになっている。この表示１５は、最小限度の内容を案内させることで、電子版化された新聞１の大容量化，複雑化を避けることができるため、新聞１の電子版化の作業が面倒になるのを避けることができる。
【００３１】
新聞社Ｎのサーバ３は、図１に示すように、インターネット等のコンピュータネットワーク４を介して購読者のパーソナルコンピュータやコンピュータ機能を有する携帯端末機等の購読端末機５に接続される。このサーバ３は、新聞社Ｎと購読契約をした購読者Ｍの購読地のデータベースが備えられ、購読アクセスに際して、ＩＤ，パスワード等のセキュリティの認証を行った後に購読される地域の新聞を選択して画面を構成する機能を有している。従って、購読者Ｍは、住所，居所以外の購読地をデータベースに記憶してもらうことで、住所，居所以外の地域の新聞１を購読することも可能である。
【００３２】
編集制作されたフリーペーパ２は、新聞販売店Ｓに配送される。
【００３３】
新聞販売店Ｓに配送されたフリーペーパ２は、新聞販売店Ｓの配達区域内で戸別に配達される。このとき、アナログの紙の新聞配達と同時にフリーペーパ２の配達を行うのが効率的である。ただし、フリーペーパ２については、新聞販売店Ｓの配達区域内の全戸に配達する。なお、フリーペーパ２の配達に際しては、他のチラシ等を折込んだり他のチラシ等を含めてパックすることも可能である。
【００３４】
従って、新聞販売店Ｓにアナログ的な配達の業務を継続させることができるため、既存の新聞販売店Ｓを新聞の電子版化に容易に対応させて情報伝達組織として機能を維持さ競ることができることになる。
【００３５】
この形態では、新聞社Ｎと購読契約をした購読者Ｍ（購読端末機５）が新聞社Ｎ（サーバ３）にアクセスすると、セキュリティの認証の後に所定の地域の新聞１の購読が可能になる。
【００３６】
購読者Ｍは、図５に示すように、購読端末機５に表示された新聞１の新聞記事１１を読んで関連する情報２１が必要になった場合、その新聞記事１１のアイコンからなる表示をクリックすることで、関連する情報２１が掲載されているフリーペーパ２を特定するために発行日２３，ページ２４を案内させることができる。そして、購読者Ｍは、配達されたかいずれ配達されるフリーペーパ２を読むことによって、関連する情報２１を入手することができる。なお、購読者Ｍは、読んだフリーペーパ２の表示２５から新聞１の関連する新聞記事１１を知り、再度購読端末機５から新聞１を購読することもあり得る。
【００３７】
新聞社Ｎと購読契約をしていないた未購読契約者は、図６に示すように、全戸に配達されているフリーペーパ２を読むことができるため、フリーペーパ２の表示２５から新聞１の関連する新聞記事１１を知り、電子版化された新聞１の購読を希望するようになることもあり得る。従って、新聞社Ｎと購読契約をした購読者Ｍを増加させることができる。未購読契約者が購読者Ｍとなった後には、前述と同様の購読等が可能になる。
【符号の説明】
【００３８】
１            新聞
１１          新聞記事
１５          表示
２            フリーペーパ
２１          情報
２５          表示
３            サーバ
４            コンピュータネットワーク
５            購読端末機
Ｍ            購読者
Ｎ            新聞社
Ｓ            新聞販売店
【図１】
2013232070.tif 000003
【図２】
2013232070.tif 000004
【図３】
2013232070.tif 000005
【図４】
2013232070.tif 000006
【図５】
2013232070.tif 000007
【図６】
2013232070.tif 000008